(57)【特許請求の範囲】
【請求項１】
中性子線照射治療において患者が配置される中性子線照射用患者治療台であって、
前記患者の体を支えるための治療台本体と、
前記患者の頭部を支えるための頭部支持部と、
水平面内で前記頭部支持部を前記治療台本体に対して移動可能に支持する移動機構と、
を備え、
前記移動機構は、
前記治療台本体に対して固定された第１の軸部材と、
前記第１の軸部材に対して前記頭部支持部を前記第１の軸部材の延在方向でスライド可能に支持する第１のスライド支持部と、
前記第１の軸部材に対して前記頭部支持部を鉛直軸周りで回転可能又は揺動可能に接続する第１の接続部と、
を備えることを特徴とする中性子線照射用患者治療台。
【請求項２】
前記移動機構は、前記頭部支持部を鉛直軸回りで回転可能又は揺動可能に支持する請求項１に記載の中性子線照射用患者治療台。
【請求項３】
前記移動機構は、
前記治療台本体に対して固定された第１の軸部材と、
前記第１の軸部材に支持された第２の軸部材と、
前記第１の軸部材に対して前記第２の軸部材を前記第１の軸部材の延在方向でスライド可能に支持する第１のスライド支持部と、
前記第１の軸部材に対して前記第２の軸部材を前記第２の軸部材の延在方向でスライド可能に支持する第２のスライド支持部と、
前記第１の軸部材に対して前記第２の軸部材を鉛直軸周りで回転可能又は揺動可能に接続する第１の接続部と、
前記第２の軸部材に対して前記頭部支持部を鉛直軸周りで回転可能又は揺動可能に接続する第２の接続部と、
を備える請求項１に記載の中性子線照射用患者治療台。
【請求項４】
前記頭部支持部は、Ｘ線照射を受けて前記頭部のＸ線画像を取得するＸ線画像取得手段を有している請求項１〜３の何れか一項に記載の中性子線照射用患者治療台。
【請求項５】
中性子線を照射する照射部と前記照射部からの中性子線の照射方向に患者を配置させる中性子線照射用患者治療台とを備え、
前記中性子線照射用患者治療台は、
前記患者の体を支持するための治療台本体と、
前記患者の頭部を支持するための頭部支持部と、
水平面内で前記頭部支持部を前記治療台本体に対して移動可能に支持する移動機構と、
を有し、
前記移動機構は、
前記治療台本体に対して固定された第１の軸部材と、
前記第１の軸部材に対して前記頭部支持部を前記第１の軸部材の延在方向でスライド可能に支持する第１のスライド支持部と、
前記第１の軸部材に対して前記頭部支持部を鉛直軸周りで回転可能又は揺動可能に接続する第１の接続部と、
を備えることを特徴とする中性子線照射装置。
【請求項６】
前記移動機構は、前記頭部支持部を鉛直軸回りで回転可能又は揺動可能に支持する請求項５に記載の中性子線照射装置。
【請求項７】
前記移動機構は、
前記治療台本体に対して固定された第１の軸部材と、
前記第１の軸部材に支持された第２の軸部材と、
前記第１の軸部材に対して前記第２の軸部材を前記第１の軸部材の延在方向でスライド可能に支持する第１のスライド支持部と、
前記第１の軸部材に対して前記第２の軸部材を前記第２の軸部材の延在方向でスライド可能に支持する第２のスライド支持部と、
前記第１の軸部材に対して前記第２の軸部材を鉛直軸周りで回転可能又は揺動可能に接続する第１の接続部と、
前記第２の軸部材に対して前記頭部支持部を鉛直軸周りで回転可能又は揺動可能に接続する第２の接続部と、
を備える請求項５に記載の中性子線照射装置。
【請求項８】
前記頭部支持部は、Ｘ線照射を受けて前記頭部のＸ線画像を取得するＸ線画像取得手段を有している請求項５〜７の何れか一項に記載の中性子線照射装置。
【発明の詳細な説明】
【技術分野】
【０００１】
本発明は、中性子線照射用患者治療台及び中性子線照射装置に関する。
【背景技術】
【０００２】
癌等を治療する方法の一つとして中性子線捕捉療法が知られている。中性子線捕捉療法では、例えばホウ素を含む薬剤を患者へ投与し、ホウ酸が堆積した患部周辺に中性子線を照射することで、ホウ酸と中性子線とが反応してα線等を放出し、周辺の癌細胞等が破壊される。
【０００３】
中性子線捕捉療法のうち、ホウ酸を含む薬剤を患者に投与して治療する方法をＢＮＣＴ［Boron  Neutron  Capture  Therapy］と呼び、ＢＮＣＴを行う装置をＢＮＣＴ装置と呼ぶ。ＢＮＣＴ装置として、例えば、特許文献１に記載されたものが知られている。特許文献１に記載されたＢＮＣＴ装置では、患者を椅子に座らせ、顔の正面側から中性子線の照射を行うことで患者頭部の患部に対する治療を行っている。
【先行技術文献】
【特許文献】
【０００４】
【特許文献１】特開２００９−１８９７２５号公報
【発明の概要】
【発明が解決しようとする課題】
【０００５】
ところで、中性子線の届く範囲は限られており、患部の位置によっては顔の正面から届かない場合がある。また、顔の正面からの照射には目等の組織に対する影響も懸念される。このため、患者を寝かせた状態で患者頭部に中性子線を照射することが検討されている。
【０００６】
しかしながら、単純なベッド形状の患者治療台を用いると、患者治療台が中性子線の照射部に干渉してしまい、患部を照射部に対して十分に近づけられないという問題が生じる。
【０００７】
そこで、本発明は、中性子線の照射部に対して患者頭部の患部を十分に近づけることができる中性子線照射用患者治療台及び中性子線照射装置を提供することを目的とする。
【課題を解決するための手段】
【０００８】
本発明は、中性子線照射治療において患者が配置される中性子線照射用患者治療台であって、患者の体を支えるための治療台本体と、患者の頭部を支えるための頭部支持部と、水平面内で頭部支持部を治療台本体に対して移動可能に支持する移動機構と、を備えることを特徴とする。
【０００９】
上記中性子線照射用患者治療台によれば、頭部支持部が治療台本体に対して水平面内で移動可能に構成されているので、治療台本体を動かすことなく、患者頭部の位置を変えることができる。従って、上記中性子線照射用患者治療台によれば、頭部支持部と治療台本体とが一体となっている場合と比べて、治療台本体が照射部に干渉することなく、患者頭部の位置のみを変えることができるので、中性子線の照射部に対して患者頭部の患部を十分に近づけることができる。
【００１０】
上記移動機構は、頭部支持部を鉛直軸回りで回転可能又は揺動可能に支持しても良い。
この構成によれば、中性子線の照射部に対する患者頭部の向きの微調整が可能になるので、患者頭部の患部に対して照射部をより一層近づけることができる。
【００１１】
上記移動機構は、治療台本体に対して固定された第１の軸部材と、第１の軸部材に対して頭部支持部を第１の軸部材の延在方向でスライド可能に支持する第１のスライド支持部と、第１の軸部材に対して頭部支持部を鉛直軸周りで回転可能又は揺動可能に接続する第１の接続部と、を備えても良い。
【００１２】
上記中性子線照射用患者治療台によれば、第１の軸部材に対して頭部支持部がスライド自在に支持されるので、第１の軸部材の延在方向で患者頭部を自在に移動させることができる。また、上記中性子線照射用患者治療台では、頭部支持部が第１の軸部材に対して回転可能又は揺動可能に接続されているので、照射部に対する患者頭部の向きの微調整が可能になり、患者頭部の患部に対して中性子線の照射部をより一層近づけることができる。
【００１３】
上記移動機構は、治療台本体に対して固定された第１の軸部材と、第１の軸部材に支持された第２の軸部材と、第１の軸部材に対して第２の軸部材を第１の軸部材の延在方向でスライド可能に支持する第１のスライド支持部と、第１の軸部材に対して第２の軸部材を第２の軸部材の延在方向でスライド可能に支持する第２のスライド支持部と、第１の軸部材に対して第２の軸部材を鉛直軸周りで回転可能又は揺動可能に支持する第１の接続部と、第２の軸部材に対して頭部支持部を鉛直軸周りで回転可能又は揺動可能に接続する第２の接続部と、を備えても良い。
【００１４】
上記中性子線照射用患者治療台によれば、第１の軸部材及び第２の軸部材の両方に対して、頭部支持部がスライド自在に支持されるので、水平面内で患者頭部を自在に移動させることができる。しかも、上記中性子線照射用患者治療台では、第２の軸部材が第１の軸部材に対して回転可能又は揺動可能に接続されているので、患者頭部が移動できる範囲を大きく広げることができる。また、上記中性子線照射用患者治療台によれば、頭部支持部が第２の軸部材に対して回転可能又は揺動可能に接続されているので、照射部に対する患者頭部の向きの微調整が可能になり、患者頭部の患部に対して中性子線の照射部をより一層近づけることができる。
【００１５】
上記頭部支持部は、Ｘ線照射を受けて頭部のＸ線画像を取得するＸ線画像取得手段を有していても良い。
この構成によれば、患者の頭部を頭部支持部に対して固定した状態でＸ線画像を取得することができるので、Ｘ線画像に基づいて照射部に対する患者頭部の位置決めを正確に行うことができる。
【００１６】
本発明は、中性子線を照射する照射部と照射部からの中性子線の照射方向に患者を配置させる中性子線照射用患者治療台とを備え、中性子線照射用患者治療台は、患者の体を支持するための治療台本体と、患者の頭部を支持するための頭部支持部と、水平面内で頭部支持部を治療台本体に対して移動可能に支持する移動機構と、を有することを特徴とする。
【００１７】
上記中性子線照射装置によれば、頭部支持部が治療台本体に対して水平面内で移動可能に構成されているので、治療台本体を動かすことなく、患者頭部の位置を変えることができる。従って、上記中性子線照射用患者治療台によれば、頭部支持部と治療台本体とが一体となっている場合と比べて、治療台本体が照射部に干渉することなく、患者頭部の位置のみを変えることができるので、中性子線の照射部に対して患者頭部の患部を十分に近づけることができる。
【００１８】
上記移動機構は、頭部支持部を鉛直軸回りで回転可能又は揺動可能に支持しても良い。
この構成によれば、中性子線の照射部に対する患者頭部の向きの微調整が可能になるので、患者頭部の患部に対して照射部をより一層近づけることができる。
【００１９】
上記移動機構は、治療台本体に対して固定された第１の軸部材と、第１の軸部材に対して頭部支持部を第１の軸部材の延在方向でスライド可能に支持する第１のスライド支持部と、第１の軸部材に対して頭部支持部を鉛直軸周りで回転可能又は揺動可能に接続する第１の接続部と、を備えても良い。
【００２０】
上記中性子線照射装置によれば、第１の軸部材に対して頭部支持部がスライド自在に支持されるので、第１の軸部材の延在方向で患者頭部を自在に移動させることができる。また、上記中性子線照射装置では、頭部支持部が第１の軸部材に対して回転可能又は揺動可能に接続されているので、照射部に対する患者頭部の向きの微調整が可能になり、患者頭部の患部に対して中性子線の照射部をより一層近づけることができる。
【００２１】
上記移動機構は、治療台本体に対して固定された第１の軸部材と、第１の軸部材に支持された第２の軸部材と、第１の軸部材に対して第２の軸部材を第１の軸部材の延在方向でスライド可能に支持する第１のスライド支持部と、第１の軸部材に対して第２の軸部材を第２の軸部材の延在方向でスライド可能に支持する第２のスライド支持部と、第１の軸部材に対して第２の軸部材を鉛直軸周りで回転可能又は揺動可能に支持する第１の接続部と、第２の軸部材に対して頭部支持部を鉛直軸周りで回転可能又は揺動可能に支持する第２の接続部と、を備えても良い。
【００２２】
上記中性子線照射装置によれば、第１の軸部材及び第２の軸部材の両方に対して、頭部支持部がスライド自在に支持されるので、水平面内で患者頭部を自在に移動させることができる。しかも、上記中性子線照射装置では、第２の軸部材が第１の軸部材に対して回転可能又は揺動可能に接続されているので、患者頭部が移動できる範囲を大幅に広げることができる。また、上記中性子線照射装置によれば、頭部支持部が第２の軸部材に対して回転可能又は揺動可能に接続されているので、照射部に対する患者頭部の向きの微調整が可能になり、患者頭部の患部に対して中性子線の照射部をより一層近づけることができる。
【００２３】
上記頭部支持部は、Ｘ線照射を受けて頭部のＸ線画像を取得するＸ線画像取得手段を有していても良い。
この構成によれば、患者の頭部を頭部支持部に対して固定した状態でＸ線画像を取得することができるので、Ｘ線画像に基づいて照射部に対する患者頭部の位置決めを正確に行うことができる。
【発明の効果】
【００２４】
本発明によれば、中性子線の照射部に対して患者頭部の患部を十分に近づけることができる。
【図面の簡単な説明】
【００２５】
【図１】本発明に係る中性子線照射装置の一実施形態を示す平面図である。
【図２】図１の中性子線照射装置を示す側面図である。
【図３】中性子線照射用患者治療台を示す平面図である。
【図４】中性子線照射用患者治療台を示す側面図である。
【図５】患者の頭頂部に中性子線を照射する場合の中性子線照射装置を示す平面図である。
【図６】図５の中性子線照射装置を示す側面図である。
【発明を実施するための形態】
【００２６】
以下、本発明に係る中性子線照射装置の好適な実施形態について、図面を参照して詳細に説明する。なお、水平面内で直交する二軸をＸ軸及びＹ軸とし、Ｘ軸及びＹ軸に直交する鉛直軸をＺ軸として以下の説明に用いる。
【００２７】
図１及び図２に示されるように、本実施形態に係る中性子線照射装置１は、ホウ酸を含む薬剤を投与した患者頭部の患部（被照射体）へ向けて中性子線を照射するＢＮＣＴ［Boron  Neutron  Capture   Therapy］用の装置である。中性子線は、例えばベリリウム、リチウム、タンタル、タングステン等の材料から形成されたターゲットに対して陽子や重陽子からなるイオンビームを照射することにより発生させることができる。
【００２８】
中性子線照射装置１は、中性子線照射用の患者治療台２に配置された患者Ａの患部に向かって中性子線を照射部３から照射する。図１及び図２では、患者Ａの右側頭部に位置する患部を治療する場合の中性子線照射装置１を示している。この場合においては、患者Ａの右側頭部を照射部３に十分近づける必要がある。中性子線の照射方向を矢印Ｎ１として図１に示す。
【００２９】
患者治療台２は、治療台本体４、体支持部５、及び頭部支持部６を備えている。治療台本体４は、患者治療台２のベースとなる部材である。治療台本体４は、図示しない脚部を介して床上に配置されている。治療台本体４は、施設の床上を移動可能であり、任意の位置で床面に固定することができる。なお、治療台本体４は、脚部ではなくロボットアームにより移動可能に支持されていても良い。
【００３０】
体支持部５は、患者Ａの体を支持するためのベッド部材である。この体支持部５を介して治療台本体４は患者の体を支えている。体支持部５は、鉛直方向（Ｚ軸方向）から見て長方形状を成すベッド部材であり、その長手方向はＹ軸方向に等しい。体支持部５は、スライド部７によって治療台本体４に対してＹ軸方向にスライド可能に支持されている。体支持部５のスライド方向を矢印Ｓ１として示す。また、スライド部７は、任意の位置で体支持部５を固定するためのクランプ機能を有している。
【００３１】
なお、患者治療台２は、ロボットアーム等によりと移動自在に構成されていても良い。また、患者治療台２は、必ずしもスライド部７を有する必要はない。例えば、体支持部５が治療台本体４上に直接置かれている態様であっても良い。或いは、体支持部５が治療台本体４に対して一体的に固定されていても良い。
【００３２】
頭部支持部６は、患者Ａの頭を支持するための部材である。頭部支持部６は、イメージングプレート（Ｘ線画像取得手段）８、イメージングプレートホルダ９、及び枕部１０を有している。
【００３３】
イメージングプレート８は、Ｘ線照射を受けて患者頭部のＸ線画像を取得するためのものである。Ｘ線照射は、例えばイメージングプレート８の上方から患者Ａの頭部に向けて照射される。長方形状のイメージングプレート８は、ロの字形状のイメージングプレートホルダ９内に差し込まれている。
【００３４】
ロの字形状のイメージングプレートホルダ９は、イメージングプレート８を保持する部材である。イメージングプレートホルダ９は、Ｘ軸方向に貫かれた貫通孔を有しており、この貫通孔にイメージングプレート８が差し込まれる。
【００３５】
イメージングプレートホルダ９は、イメージングプレート８をＸ軸方向で移動可能に保持しており、必要に応じてイメージングプレート８の位置を変更することができる。イメージングプレートホルダ９は、患者頭部を照射部３のビーム照射口に近づけるため、Ｘ軸方向の幅が狭く形成されている。なお、イメージングプレートホルダ９は、ロの字形状ではなく、コの字形状に構成されていても良い。
【００３６】
枕部１０は、患者Ａの頭部が置かれる部位である。枕部１０は、イメージングプレートホルダ９上に設けられている。患者Ａの頭部は、枕部１０の上に配置された状態で専用の固定具により頭部支持部６に固定される。
【００３７】
頭部支持部６は、移動機構１１を介して治療台本体４に支持されている。移動機構１１は、頭部支持部６が治療台本体４に対して水平面内（ＸＹ平面内）で移動可能となるように構成されている。
【００３８】
図３は、図１の患者治療台２を示す平面図である。また、図４は、図３の患者治療台２を示す側面図である。図３及び図４に示されるように、移動機構１１は、軸固定部１２、第１の軸部材１３、第１のスライド支持部１４、第１の回転接続部（第１の接続部）１５、第２のスライド支持部１６、第２の軸部材１７、第２の回転接続部（第２の接続部）１８を有している。
【００３９】
一対の軸固定部１２は、Ｘ軸方向に延在する第１の軸部材１３の両端部を治療台本体４に対して固定する部材である。一対の軸固定部１２は、治療台本体４におけるＹ軸方向の端部に固定されている。一対の軸固定部１２は、先端部１２ａが治療台本体４のキリ穴に差し込まれた状態で治療台本体４の裏側からボルトで締め付けられることにより固定されている。第１の軸部材１３は、Ｘ軸方向に延在する丸棒形状の部材である。
【００４０】
第１のスライド支持部１４、第１の回転接続部１５、及び第２のスライド支持部１６は、第１の軸部材１３に対して第２の軸部材１７を接続する部位である。第１のスライド支持部１４、第１の回転接続部１５、及び第２のスライド支持部１６は、互いに連結して設けられている。
【００４１】
第１のスライド支持部１４は、第１の軸部材１３が挿通された貫通孔を有するブロック状の部材である。第１のスライド支持部１４は、第１の軸部材１３に沿ってＸ軸方向（第１の軸部材１３の延在方向）にスライドする。第１のスライド支持部１４の移動方向を矢印Ｓ２として示す。第１のスライド支持部１４は、第１の軸部材１３に対して第２の軸部材１７をＸ軸方向にスライド可能に支持している。
【００４２】
また、第１のスライド支持部１４は、図示しないクランプ機構を備えており、第１の軸部材１３上の任意の位置に固定することができる。第１のスライド支持部１４の側方（Ｙ軸方向で体支持部５の反対側）には、第１の回転接続部１５が固定されている。
【００４３】
第１の回転接続部１５は、Ｚ軸方向に延在する鉛直軸１５ａを有している。第１の回転接続部１５は、鉛直軸１５ａをＺ軸周り（鉛直軸１５ａ周り）で回転可能に支持している。第１の回転接続部１５における鉛直軸１５ａの回転を矢印Ｒ１として示す。
【００４４】
また、第１の回転接続部１５は、クランプレバー１５ｂを備えている。クランプレバー１５ｂは、第１の回転接続部１５の鉛直軸１５ａを任意の回転位置で固定するためのものである。第１の回転接続部１５の鉛直軸１５ａの上端には、第２のスライド支持部１６が固定されている。第１の回転接続部１５は、第１の軸部材１３に対して第２の軸部材１７を鉛直軸１５ａ周りで回転可能に接続している。
【００４５】
第２のスライド支持部１６は、丸棒形状の第２の軸部材１７が挿通された貫通孔を有するブロック状の部材である。第２のスライド支持部１６は、第２の軸部材１７の延在方向にスライドする。第２のスライド支持部１６の移動方向を矢印Ｓ３として示す。第１のスライド支持部１４は、第１の軸部材１３に対して第２の軸部材１７を第２の軸部材１７の延在方向でスライド可能に支持している。
【００４６】
また、第２のスライド支持部１６は、クランプレバー１６ａを備えている。クランプレバー１６ａは、第２の軸部材１７上の任意の位置で第２のスライド支持部１６を固定するためのものである。第２の軸部材１７の一端には、第２のスライド支持部１６の抜け止めとして機能する抜け止め部１７ａが形成されている。
【００４７】
第２の軸部材１７の他端には、第２の回転接続部１８が固定されている。第２の回転接続部１８は、第２の軸部材１７と頭部支持部６とを接続する部材である。第２の回転接続部１８は、Ｚ軸方向に延在する鉛直軸１８ａを有している。第２の回転接続部１８は、鉛直軸１８ａをＺ軸周り（鉛直軸１８ａ周り）で回転可能に支持している。第２の回転接続部１８における鉛直軸１８ａの回転を矢印Ｒ２として示す。
【００４８】
また、第２の回転接続部１８は、クランプレバー１８ｂを備えている。クランプレバー１８ｂは、第２の回転接続部１８の鉛直軸１８ａを任意の回転位置で固定するためのものである。第２の回転接続部１８の鉛直軸１８ａの上端に頭部支持部６が固定されている。第２の回転接続部１８は、第２の軸部材１７に対して頭部支持部６を鉛直軸１８ａ周りで回転可能に接続している。
【００４９】
次に、図５及び図６を参照して、患者Ａの頭頂部に位置する患部を治療する場合の患者治療台２の形態について説明する。図５は、患者Ａの頭頂部に中性子線を照射する場合の中性子線照射装置１を示す平面図である。図６は、図５の中性子線照射装置１を示す側面図である。中性子線の照射方向を矢印Ｎ２として示す。
【００５０】
患者Ａの頭頂部に中性子線を照射する場合には、患者Ａの頭頂部と照射部３とを十分に近づける必要がある。以下、図１及び図２に示す患者治療台２の形態から、図５及び図６に示す患者治療台２の形態への変更について説明する。
【００５１】
図１及び図２に示す形態の患者治療台２において、まず頭部支持部６を支持する第２の回転接続部１８と第２のスライド支持部１６とが当接するまで第２の軸部材１７をスライドさせる。次に、第１の回転接続部１５の鉛直軸１５ａを中心として、第１の軸部材１３と平行になるように第２の軸部材１７を回転させる。
【００５２】
続いて、第１のスライド支持部１４を移動させて、頭部支持部６が体支持部５の幅方向（Ｘ軸方向）の中心となるように位置を調節する。その後、体支持部５を頭部支持部６に寄せるようにスライドさせることで、図５及び図６に示す患者治療台２の形態となる。このように患者治療台２の形態を変更することで、頭部支持部６が患者治療台２の端に位置することになり、患者Ａの頭頂部を照射部３に対して十分に近づけることができる。
【００５３】
以上説明した中性子線照射用の患者治療台２を備える中性子線照射装置１によれば、頭部支持部６が治療台本体４に対して水平面内で移動可能に構成されているので、治療台本体４を動かすことなく、患者頭部の位置を変えることができる。従って、中性子線照射装置１によれば、頭部支持部６が治療台本体４や体支持部５と一体になっている場合と比べて、治療台本体４や体支持部５が照射部３に干渉することなく、患者頭部の位置のみを変えることができるので、中性子線の照射部３に対して患者頭部の患部を十分に近づけることができる。
【００５４】
また、中性子線照射装置１によれば、第１の軸部材１３及び第２の軸部材１７の両方に対して、頭部支持部６がスライド自在に支持されるので、水平面内で患者の頭部を自在に移動させることができる。しかも、中性子線照射装置１では、第２の軸部材１７が第１の軸部材１３に対して回転可能に接続されているので、患者頭部が移動できる範囲を大幅に広げることができる。また、中性子線照射装置１によれば、頭部支持部６が第２の軸部材１７に対して回転可能に接続されているので、照射部３に対する患者頭部の向きの微調整が可能になり、患者頭部の患部に対して中性子線の照射部３をより一層近づけることができる。
【００５５】
更に、中性子線照射装置１によれば、Ｘ線照射を受けて頭部のＸ線画像を取得するイメージングプレート８を頭部支持部６が有しているので、患者Ａの頭部を頭部支持部６に対して固定した状態でＸ線画像を取得することができる。従って、中性子線照射装置１では、Ｘ線画像に基づいて照射部３に対する患者頭部の位置決めを正確に行うことができる。
【００５６】
本発明は、上述した実施形態に限定されるものではない。例えば、移動機構１１は、頭部支持部６をＺ軸方向に移動可能に構成されていても良い。具体的には、第２の回転接続部１８と頭部支持部６との間にパンタグラフ式のジャッキ機構等を設けることができる。このような構成によれば、患者が横向きに寝た状態で治療を行う場合に、体と頭部との間の段差に合わせて頭部支持部６の高さを調整することで安定して頭部を固定することができる。
【００５７】
また、第１の回転接続部１５及び第２の     回転接続部１８は、必ずしも３６０°回転可能である必要ではなく、３６０°未満の角度で揺動可能な構成であっても良い。
【００５８】
また、移動機構１１の構成は上述したものに限られず、水平面内で頭部支持部６を治療台本体４に対して移動可能に支持するものであれば良い。ここで、水平面内で移動可能とは、厳密な水平方向にのみ移動する場合に限られず、水平面に対して傾いた平面内を移動する場合であっても水平面内で移動可能なものに含まれる。
【００５９】
同様に、鉛直軸回りに回転可能又は揺動可能とは、厳密に鉛直軸の周りのみを回転又は揺動する場合に限られず、鉛直軸に対して傾いた軸線周りを回転又は揺動する場合であっても鉛直軸回りに回転可能又は揺動可能なものに含まれる。
【符号の説明】
【００６０】
１…中性子線照射装置  ２…中性子線照射用患者治療台  ３…照射部  ４…治療台本体  ５…体支持部  ６…頭部支持部  ７…スライド部  ８…イメージングプレート（Ｘ線画像取得手段）  ９…イメージングプレートホルダ  １０…枕部  １１…移動機構  １２…軸固定部  １３…第１の軸部材  １４…第１のスライド支持部  １５…第１の回転接続部  １５ａ…鉛直軸  １５ｂ…クランプレバー  １６…スライド支持部  １６ａ…クランプレバー  １７…第２の軸部材  １８…第２の回転接続部  １８ａ…鉛直軸  １８ｂ…クランプレバー  Ａ…患者
【図１】
0005653897.tif 000002
【図２】
0005653897.tif 000003
【図３】
0005653897.tif 000004
【図４】
0005653897.tif 000005
【図５】
0005653897.tif 000006
【図６】
0005653897.tif 000007